(57)【要約】      （修正有）【課題】蛍光灯及びＬＥＤが相互の出光効果を制限するのを防止して照明具全体の発光効率及び出光効果を高める切換式発光モジュールの照明具構造を提供する。【解決手段】切換式発光モジュールの照明具構造は、設置台１、ライトパイプ２、少なくとも１つのＬＥＤ３、蛍光灯４及びコントロール・モジュール５を含む。ライトパイプは、設置台に設置し、ＬＥＤはライトパイプに対応して配置する。蛍光灯は設置台に固定してライトパイプの外周縁を囲んで設置する。コントロール・モジュールは回路板５１及び回路板と電気連接する切換ユニット５２を含み、回路板はそれぞれＬＥＤ及び蛍光灯に電気連接し、切換ユニットはＬＥＤ及び蛍光灯をオンもしくはオフに切り換えるのに用いる。ＬＥＤはライトパイプを通して出光し、蛍光灯がライトパイプ外周縁を囲んで配置する。【選択図】図１
0003181643.tif 000002
【実用新案登録請求の範囲】
【請求項１】
切換式発光モジュールの照明具構造において、
設置台と、
該設置台に取り付けるライトパイプと、
該ライトパイプに対応して配置する少なくとも１つのＬＥＤと、
該設置台に固定し、該ライトパイプの外周縁で囲む蛍光灯と、
回路板及び該回路板と電気連接する切換ユニットとを含み、
前記回路板はそれぞれ前記ＬＥＤ及び前記蛍光灯を電気連接し、前記切換ユニットは該ＬＥＤ及び該蛍光灯のオンもしくはオフを切り換えるのに用いるコントロール・モジュールを含むことを特徴とする切換式発光モジュールの照明具構造。
【請求項２】
前記設置台は、側部に固定平台を備え、別の側部には納置室を備え、該ライトパイプ及び該蛍光灯を共に該固定平台に固定設置し、該回路板は該納置室に納置することを特徴とする請求項１記載の切換式発光モジュールの照明具構造。
【請求項３】
前記設置台は、該固定平台から遠い方向へ複数の掛合凸が伸び、該納置室は該複数の掛合凸の内側に形成することを特徴とする請求項２記載の切換式発光モジュールの照明具構造。
【請求項４】
前記ＬＥＤは、該回路板に設置し、該ライトパイプ一端は切り欠槽を成形し、該固定平台は該納置室と相通じる中空定位柱を備え、該ライトパイプは該中空定位柱に設置し、該ＬＥＤを該切り欠槽に納置することを特徴とする請求項２記載の切換式発光モジュールの照明具構造。
【請求項５】
前記蛍光灯は、該ライトパイプを囲む複数のＵ字型ライト管で、該固定平台は複数の差込孔を設置し、各Ｕ字型ライト管の両端は該二差込孔が対応して差し込むことを特徴とする請求項４記載の切換式発光モジュールの照明具構造。
【請求項６】
前記蛍光灯は、該ライトパイプを囲む中空螺旋状ライト管であり、該固定平台は二差込孔を設置し、該中空螺旋状ライト管の両端は該二差込孔が対応して差し込むことを特徴とする請求項４記載の切換式発光モジュールの照明具構造。
【請求項７】
前記ライトパイプは複数の掛合ロックを設置し、該中空定位柱は複数の凹窪を設置し、各該掛合ロックと各該凹窪は相互に掛合することを特徴とする請求項４記載の切換式発光モジュールの照明具構造。
【請求項８】
前記該ライトパイプは、一端に切り欠槽を設置し、別の一端は外向きに拡大部が伸び、該拡大部は出光面を形成することを特徴とする請求項１記載の切換式発光モジュールの照明具構造。
【請求項９】
前記出光面は平面であることを特徴とする請求項８記載の切換式発光モジュールの照明具構造。
【請求項１０】
前記出光面は凸面であることを特徴とする請求項８記載の切換式発光モジュールの照明具構造。
【請求項１１】
前記出光面は凹面であることを特徴とする請求項８記載の切換式発光モジュールの照明具構造。
【請求項１２】
前記出光面は表面に擦り処理を施すことを特徴とする請求項８記載の切換式発光モジュールの照明具構造。
【請求項１３】
前記出光面は、表面に光擴散被覆塗布層を施すことを特徴とする請求項８記載の切換式発光モジュールの照明具構造。
【請求項１４】
前記切換式発光モジュールの照明具構造は、更に安定器及びスターターを含み、該安定器及び該スターターは該回路板に設置することを特徴とする請求項１記載の切換式発光モジュールの照明具構造。
【請求項１５】
前記切換式発光モジュールの照明具構造は、更に照明具ケース及び照明カバーを含み、該照明具ケースは納置空間を設置し、該設置台及び該回路板は該納置空間に納置し、該照明カバーは該照明具ケースを連接し、該ライトパイプ、該ＬＥＤ及び該蛍光照明カバー蓋を対応することを特徴とする請求項１記載の切換式発光モジュールの照明具構造。
【考案の詳細な説明】
【技術分野】
【０００１】
本考案は、照明具構造に関するもので、特に切換式発光モジュールの照明具構造に係わる。
【背景技術】
【０００２】
地球温暖化によって省エネが提唱されており、省エネ照明具は既に市場の潮流となっている。省エネ、省電等の省エネ照明例として、蛍光灯（fluorescent）及びＬＥＤ(light emitting diode，発光ダイオード)は照明用途に拠って応用され、益々普遍的になり、伝統的な電球、例として白熱灯は次第に淘汰され、各種照明燈具もしくは発光装置に広く応用されている。
【０００３】
価格において、発光ルーメン(lumen)と比較して、蛍光灯はＬＥＤライトより安い。そのため、現在のところ、家庭ではやはり蛍光灯の占める割合が高い。但し、現在、蛍光灯の製造方式は調光に適さず、主に蛍光灯の調光輝度を十分に下げることはできず、且つ蛍光灯を調光すると使用寿命が短くなる。そのことから照明最大または低照明の求めが同じである場合、蛍光灯をメインライトにして照明最大にするか、もしくはＬＥＤを補助ライトにして低照明にするか、を切り替えできることが理想の方式である。
【先行技術文献】
【特許文献】
【０００４】
【特許文献１】特開２０１１−２９１５４号公報
【考案の概要】
【考案が解決しようとする課題】
【０００５】
解決しようとする問題点は、現在の市場の製品には以下の欠点がある。一に生産組み立てが面倒である。二に蛍光灯管の構造に制限があるため、ＬＥＤ 補助ライトの出光効果、例として出光の角度及び出光の拡散効果に制限を受け、実際の要求に答えることができない。三に蛍光灯メインライトの出光効果は、ＬＥＤ 補助ライトを加えることで明るさに影響する点である。
【０００６】
上述から、本考案者は上述の技術に対して研究を重ね学理運用と共にそれらの問題点を改善するため、本考案を提案する。
【課題を解決するための手段】
【０００７】
本考案は、設置台、ライトパイプ、少なくとも１つのＬＥＤ、蛍光灯及びコントロール・モジュールを含む。ライトパイプは、設置台に設置し、ＬＥＤはライトパイプに対応して配置する。蛍光灯は設置台に固定してライトパイプの外周縁を囲んで設置する。コントロール・モジュールは回路板及び回路板と電気連接する切換ユニットを含み、回路板はそれぞれＬＥＤ及び蛍光灯に電気連接し、切換ユニットはＬＥＤ及び蛍光灯をオンもしくはオフに切り換えるのに用いる。ＬＥＤはライトパイプを通して出光し、蛍光灯がライトパイプ外周縁を囲んで配置することを最も主要な特徴とする。
【考案の効果】
【０００８】
本考案の切換式発光モジュールの照明具構造は、蛍光灯及びＬＥＤが相互の出光効果を制限するのを防止して照明具全体の発光効率及び出光効果を高めるという利点がある。
【図面の簡単な説明】
【０００９】
【図１】本考案の照明具構造の立体分解図である。
【図２】本考案の照明具構造の組立指示図である。
【図３】本考案の照明具構造の断面指示図である。
【図４】本考案の照明具構造の別の断面指示図である。
【図５】本考案のライトパイプの別の実施例の断面指示図である。
【図６】本考案のライトパイプの更に別の実施例の断面指示図である。
【図７】本考案の蛍光灯の別の実施例の断面指示図である。
【図８】本考案の照明具構造の別の実施例の断面指示図である。
【考案を実施するための形態】
【００１０】
ＬＥＤを用いてライトパイプから出光し、蛍光灯をライトパイプ外周縁で囲んで配置し、蛍光灯及びＬＥＤが相互に相手の出光効果を制限するのを防止し、更に照明具全体の発光効率を高める。切換式発光モジュールの照明具構造を提供することを本考案の目的とする。
【００１１】
上述の目的を達成するため、本考案は切換式発光モジュールの照明具構造を提供し、設置台と、該設置台に設置するライトパイプと、該ライトパイプに対応して配置する少なくとも１つのＬＥＤと、該設置台に固定し、該ライトパイプの外周縁を囲んで設置する蛍光灯と、回路板及び該回路板と電気連接する切換ユニットを含み、該回路板はそれぞれ該ＬＥＤ及び該蛍光灯を電気連接し、該切換ユニットは該ＬＥＤ及び該蛍光灯をオンもしくはオフに切り換えるのに用いるコントロール・モジュールを含む。
【００１２】
本考案は以下の効果を備える。
ＬＥＤはライトパイプから出光し、ＬＥＤの光源と蛍光灯の光源を同じ水平位置にし、更に蛍光灯をライトパイプ外周縁で囲んで配置し、蛍光灯構造上の制限を克服し、ＬＥＤ の出光効果を改善する。即ち、蛍光灯及びＬＥＤが相互に相手の出光効果を制限するのを防止し、更に照明具全体の発光効率及び出光効果を向上させる。
【００１３】
その他、ライトパイプは透明材で蛍光灯メインライトの出光効果がＬＥＤ 補助ライトの影響を受けて下がるのを防止する。
【００１４】
また、ＬＥＤはライトパイプから出光し、そのライトパイプと蛍光灯は同じ水平位置で且つライトパイプの端部は拡大部へ伸び、出光面の面積を増やし、ＬＥＤ補充ライトの出光効果が蛍光灯メインライトの影響を受けて下がるのを防止する。
【００１５】
更に回路板に位置する１つのもしくは複数のＬＥＤは、その他電子部品、例として安定器及びスターター等と共に回路板上に予め溶接（もしくは溶接貼り）して照明具構造に良好な生産効率及び組立利便性を備える。
【００１６】
その他、出光面は凸面、凹面もしくは平面であり、本考案の照明具構造に於いて必要なＬＥＤ出光の角度及び出光の拡散効果に応じて選択し、実際の多様な要求に応じる。更に出光面を擦り処理するか、もしくは光拡散被覆塗布層にして更にＬＥＤ出光効果を高める。
【実施例】
【００１７】
本考案の詳細説明及び技術内容を、図式と共に説明するが、図式は説明のため用いるだけで、本考案を制限するものではない。
【００１８】
図１から図４に示すとおり、本考案は切換式発光モジュールの照明具構造で、照明具構造は、主に設置台１、ライトパイプ２、少なくとも１つのＬＥＤ３、蛍光灯４及びコントロール・モジュール５を含む。
【００１９】
設置台１の側部は固定平台１１を備え、別の側部の固定平台１１から遠ざかる方向には複数の掛合凸１２が伸び、該複数の掛合凸１２の内側は納置室１３を形成し、且つ固定平台１１は納置室１３と相互に通じる中空定位柱１１１を備え、中空定位柱１１１には複数の凹窪１１１１を成形し、また固定平台１１は複数の差込孔１１２を設置する。
【００２０】
ライトパイプ２は透明材で、そのライトパイプ２は設置台１に設置する。ライトパイプ２一端には切り欠槽２１を設置し、別の一端は外向きに拡大部２２を成形し、拡大部２２は出光面２２１を形成する。更に出光面２２１は凸面で、また出光面２２１の表面は擦り処理するか、もしくは光拡散被覆塗布層にしてもよく、その出光面２２１表面処理は上述に限らず、実際の必要に応じて行う。その他、ライトパイプ２は複数の掛合ロック２３を設置し、各掛合ロック２３と各凹窪１１１１が相互に止まる。
【００２１】
ＬＥＤ３は、回路板５１に設置し、そのＬＥＤ３はライトパイプ２に対応して配置し、ＬＥＤ３を切り欠槽２１に納置し、ＬＥＤ３をライトパイプ２から出光させる。
【００２２】
蛍光灯４は、設置台１に設置してライトパイプ２の外周縁を囲む。そのライトパイプ２及び蛍光灯４は共同で固定平台１１に固定する。そのうち、蛍光灯４はライトパイプ２を囲み、複数のＵ字型ライト管とする。図３ではＵ字型ライト管であるが、それに限らず、各Ｕ字型ライト管の両端は二差込孔１１２に対応して差し込む。
【００２３】
コントロール・モジュール５は、回路板５１及び回路板５１と電気連接する切換ユニット５２を含み、回路板５１は複数の切り欠口５１１を設置し、その回路板５１は納置室１３に納置し、それぞれＬＥＤ３及び蛍光灯４に電気連接する。更に掛合凸１２は切り欠口５１１に対応して掛合し、回路板５１を定位して回路板５１が回転するのを防止する。また切換ユニット５２はＬＥＤ３及び蛍光灯４のオンもしくはオフを切り替えるのに用いる。
【００２４】
本考案は、更に安定器６（電子安定装置でもよい）及び１つのスターター７(電子スターターでもよい)を含み、その安定器６及びスターター７は回路板５１に設置する。
【００２５】
本考案は、更に照明具ケース８を含み、照明具ケース８納置空間８１を形成し、設置台１及び回路板５１は納置空間８１に納置し、且つ照明具ケース８の端部は差込口金８２を連接する。
【００２６】
本考案の切換式発光モジュールの照明具構造の組立において、それはライトパイプ２を設置台１に置く。ＬＥＤ３はライトパイプ２に対応して配置する。蛍光灯４は設置台１に固定しライトパイプ２の外周縁を囲む。コントロール・モジュール５は回路板５１及び該回路板５１に電気連接する切換ユニット５２を含み、回路板５１は納置室１３に納置し、ＬＥＤ３及び蛍光灯４にそれぞれ電気連接し、切換ユニット５２はＬＥＤ３及び蛍光灯４のオンもしくはオフを切り替えるのに用いる。それらによって、ＬＥＤ３はライトパイプ２から出光してＬＥＤ３の光源と蛍光灯４の光源を同じ水平位置を達成し、蛍光灯４をライトパイプ２外周縁で囲んで配置し、蛍光灯４構造上の制限を克服し、 ＬＥＤ ３の出光効果を改善し、蛍光灯４及びＬＥＤ３が相互に相手方の出光効果を制限するのを防止し、更に照明具全体の発光効率及び出光効果を高める。
【００２７】
その他、図３から図４に示すとおり、照明最大か低照明の要求が同じである場合、使用者は自身でＬＥＤ３及び蛍光灯４を選択して切り換えることができ、蛍光灯４をメインライトとして照明最大とするか、もしくはＬＥＤ３を補充ライトとして低照明とするかを希望に拠って切り換えることができる。
【００２８】
そのうち、図３に示すとおり、ライトパイプ２は透明材質で、蛍光灯４メインライトの出光効果がＬＥＤ３補助ライトの影響を受けて下がるのを防止する。また図４に示すとおり、ＬＥＤ３は、ライトパイプ２から出光し、そのライトパイプ２と蛍光灯４が同じ水平位置で、且つライトパイプ２の端部は拡大部２２が伸び、出光面２２１の面積を増やし、ＬＥＤ３補充ライトの出光効果が蛍光灯４メインライトの影響を受けて下がるのを防止する。
【００２９】
更に回路板５１に位置する１つのもしくは複数のＬＥＤ３は、その他電子部品、例として安定器６及びスターター７等と共に、回路板５１上に事前に溶接（もしくは溶接貼り）してあり、照明具構造に良好な生産効率及び組立利便性をもたらし、生産及び組立の利便性を達成する。
【００３０】
図５、図６に示すのは、本考案のライトパイプのその他実施例で、図４に示すのは出光面２２１が凸面であるが、本考案では出光面２２１が凹面もしくは平面であり、本考案照明具構造を必要な ＬＥＤ３出光の角度及び出光の拡散効果を便利に選択でき、多種の応用ニーズに応える。
【００３１】
その他、更にＬＥＤ３出光の拡散効果を加え、出光面２２１を擦り処理するか、もしくは光拡散被覆塗布層にする。
【００３２】
図７に示すのは、本考案の蛍光灯の別の実施例である。そのうち、蛍光灯４はライトパイプ２を中心に設置し、中空螺旋状ライト管を形成する。固定平台１１は二差込孔１１２を設置し、中空螺旋状ライト管の両端は二差込孔１１２に対応して差込設置する。
【００３３】
図８に示すのは、本考案の照明具構造の別の実施例である。本考案は、更に照明カバー９を含み、照明カバー９は照明具ケース８に連接し、ライトパイプ２、ＬＥＤ３及び蛍光灯４に対応して被さる。その他、本考案は結合環１０を含み、結合環１０は環体で、その結合環１０両側はそれぞれ照明具ケース８及び照明カバー９と相互に掛合して定位する。その他、更に照明カバー９出光の拡散効果を高め、照明カバー９の表面は擦り処理するか、もしくは光拡散被覆塗布層にする。
【００３４】
上述のとおり、本考案の切換式発光モジュールの照明具構造は、使用目的を達成し、公知の欠点を改善し、産業利用の可能性、新規性及び進歩性を備えて実用新案登録の申請条件に完全に符合する。
【符号の説明】
【００３５】
１      設置台
１１      固定平台
１１１      中空定位柱
１１１１      凹窪
１１２      差込孔
１２      掛合凸
１３      納置室
２      ライトパイプ
２１      切り欠槽
２２      拡大部
２２１      出光面
２３      掛合ロック
３      ＬＥＤ
４      蛍光灯
５      コントロール・モジュール
５１      回路板
５１１      切り欠口
５２      切換ユニット
６      安定器
７      スターター
８      照明具ケース
８１      納置空間
８２      差込口金
９      照明カバー
１０      結合環
【図１】
0003181643.tif 000003
【図２】
0003181643.tif 000004
【図３】
0003181643.tif 000005
【図４】
0003181643.tif 000006
【図５】
0003181643.tif 000007
【図６】
0003181643.tif 000008
【図７】
0003181643.tif 000009
【図８】
0003181643.tif 000010